(57)【特許請求の範囲】
【請求項１】
取付開口（４）の周縁壁を間にして内外に配置される外窓枠（５）、および内窓枠（６）と、両窓枠（５・６）で挟み固定される透明の板ガラス（７）と、両窓枠（５・６）と板ガラス（７）の間、および少なくとも外窓枠（５）と取付開口（４）の周縁壁との間に配置されるパッキン（８・９）とを含み、
両窓枠（５・６）が取付開口（４）を内外に横切るねじ機構で締結してある覗き窓であって、
両窓枠（５・６）は、それぞれ金属板材をプレス成形した無端状の枠体からなり、
外窓枠（５）が、内窓枠（６）の側へ向かって開口する断面コ字状の主枠部（１２）と、主枠部（１２）の開口縁の少なくとも一側から張り出した押圧脚（１３）とで形成してあり、
ねじ機構が、外窓枠（５）の主枠部（１２）の内面に設けた掛止部（１４）に係合される掛止枠（１９）と、掛止枠（１９）に取付けられたねじ軸（２０）と、ねじ軸（２０）にねじ込まれるナット（２１）で構成してある覗き窓。
【請求項２】
外窓枠（５）が、内窓枠（６）の側へ向かって開口する断面コ字状の主枠部（１２）と、主枠部（１２）の開口縁の両側から張り出される押圧脚（１３）とで断面ハット形に形成されており、
前記掛止部（１４）が、主枠部（１２）の一対の脚壁（１２ａ）を対向状に打ち出して形成されて、ハット形に形成した掛止枠（１９）の一対の掛止爪（２２）と係合している請求項１記載の覗き窓。
【請求項３】
内窓枠（６）が、外窓枠（５）の側へ向かって開口する断面コ字状の主枠部（１５）と、主枠部（１５）の開口縁の両側から張り出した押圧脚（１６）とでハット形断面状に形成されており、
板ガラス（７）を挟む押圧脚（１６）と、取付開口（４）を挟む押圧脚（１６）とが内外方向へ段違い状に形成されて、板ガラス（７）を挟む押圧脚（１６）に連続する主枠部（１５）の脚壁（１５ａ）が短い請求項１又は２記載の覗き窓。
【発明の詳細な説明】
【０００１】
【発明の属する技術分野】
この発明は、分電盤や配電盤等のドアや外壁等に装着される覗き窓に関する。
【０００２】
【従来の技術】
この種の覗き窓は、壁面に通設した取付開口を内外から挟む外窓枠および内窓枠と、両窓枠で挟み固定される板ガラス、およびゴムパッキンなどで構成してある。窓枠の形成素材としては、アルミニウム条材を素材にするものと、アルミニウム、あるいはステンレス等の金属板材を素材にするものとがある。実開平４−１０５３９０号公報、および特開平８−９３３３７号公報の窓枠は前者に属し、特公平１−４０３３号公報、および登録実用新案第３００２５８３号公報の窓枠は後者に属する。
【０００３】
【発明が解決しようとする課題】
アルミニウム条材製の窓枠は、窓枠の形やサイズの変化に自在に対応できるうえ、十分な剛性を備えていて堅牢性に富む。窓枠の挟持面の面精度が高いので、両窓枠の締結力が大小にばらつく場合にも、確実にシール作用を発揮できる。しかし、所定長さに切断した条材を角枠状に曲げ加工した後、切断端どうしを溶接して枠体とするので、加工コストが高く付く。条材自体が特注品であるので素材コストも高く、全体として窓枠の製造コストが高い。
【０００４】
金属板材を素材とするプレス成形品からなる窓枠は、形やサイズは画一化されるものの、なにより製造コストが少なくて済み、覗き窓を廉価で提供できる。窓枠の軽量化にも役立つ。しかし、窓枠の挟持面の面精度が低いうえ、枠全体が波状にそり変形しやすいので、十分なシール作用が得られにくく、長期使用時の信頼性に欠ける。窓枠自体の強度が低いので、いたずら等によって破壊されやすく、保安上問題がある。こうした機能上の制約があるので、適用個所が事業所の構内や屋内等に限られてしまう。
【０００５】
この発明の目的は、プレス成形品からなる窓枠であるにも拘らず、十分な構造強度と面精度とを備えており、従って、アルミニウム条材製の窓枠に匹敵する堅牢さと、十分なシール性を発揮できる覗き窓を提供することにある。
この発明の他の目的は、窓枠を低コスト化できる分だけ覗き窓を廉価で提供でき、しかもアルミニウム条材製の窓枠を備えた覗き窓と同様に、あらゆる場所に設置される分電盤や配電盤に支障なく適用できる覗き窓を提供することにある。
【０００６】
【課題を解決するための手段】
この発明の覗き窓は、取付開口４の周縁壁を間にして内外に配置される外窓枠５、および内窓枠６と、両窓枠５・６で挟み固定される透明の板ガラス７と、両窓枠５・６と板ガラス７の間、および少なくとも外窓枠５と取付開口４の周縁壁との間に配置されるパッキン８・９とを含み、両窓枠５・６が取付開口４を内外に横切るねじ機構で締結してある。両窓枠５・６は、それぞれ金属板材をプレス成形した無端状の枠体からなる。外窓枠５は、内窓枠６の側へ向かって開口する断面コ字状の主枠部１２と、主枠部１２の開口縁の少なくとも一側から張り出した押圧脚１３とで形成する。ねじ機構は、外窓枠５の主枠部１２の内面に設けた掛止部１４と、掛止部１４に係合される掛止枠１９と、掛止枠１９に取付けられたねじ軸２０と、ねじ軸２０にねじ込まれるナット２１で構成する。
【０００７】
具体的には、外窓枠５は、内窓枠６の側へ向かって開口する断面コ字状の主枠部１２と、主枠部１２の開口縁の両側から張り出される押圧脚１３とで断面ハット形に形成する。前記掛止部１４は、主枠部１２の一対の脚壁１２ａを対向状に打ち出して形成されて、ハット形に形成した掛止枠１９の一対の掛止爪２２と係合する。内窓枠６は、外窓枠５の側へ向かって開口する断面コ字状の主枠部１５と、主枠部１５の開口縁の両側から張り出した押圧脚１６とでハット形断面状に形成する。板ガラス７を挟む押圧脚１６と、取付開口４を挟む押圧脚１６とを内外方向へ段違い状に形成して、板ガラス７を挟む押圧脚１６に連続する主枠部１５の脚壁１５ａを短くする。
【０００８】
【作用】
断面コ字状の主枠部１２と、主枠部１２の開口縁に張り出した押圧脚１３とで、外窓枠５を異形断面状に形成するので、従来のプレス成形された窓枠に比べて、外窓枠５の断面二次モーメントを増大し、その構造強度を十分に増強できる。ねじ機構を締め過ぎて過大な締結力が作用する場合にも、主枠部１２が変形するのを防止できる。無端状の主枠部１２を主構造体にして外窓枠５を形成するので、枠全体の自己保形力を増強でき、窓枠の取扱時や施工時に挟持面の全体が波状にそり変形し、あるいは押圧脚１３が局部的にたわみ変形するのを阻止できる。
【０００９】
【実施例】
図１ないし図５はこの発明に係る覗き窓の実施例を示す。図２において符号１は分電盤、２は分電盤１の出入口を開閉するドアである。左右一対のドア２は、それぞれヒンジ３で支持されて揺動開閉できる。両ドア２のうち右方のドア２の外壁に取付開口４を通設し、そこに本発明の覗き窓を装着している。覗き窓の内方には、電圧計、電流計、あるいは電力計等のメータ類が、覗き窓と正対する状態で配置してある。
【００１０】
図３および図４において、覗き窓は取付開口４の周縁壁を間にして内外に配置される外窓枠５、および内窓枠６と、両窓枠５・６で挟み固定される透明の板ガラス７と、両窓枠５・６と板ガラス７との間に配置されるガラス用のパッキン８と、両窓枠５・６と取付開口４の周縁壁との間に配置される壁用のパッキン９と、両窓枠５・６を締結するねじ機構などで構成する。
【００１１】
外窓枠５は、アルミニウム板材を素材にしてプレス成形した無端状の角枠体からなり、内窓枠６の側へ向かって開口する断面コ字状の主枠部１２と、主枠部１２の開口縁のそれぞれから外向きに張り出した一対の押圧脚１３・１３とで断面ハット形に形成する。外窓枠５の外縁側の縦横寸法は、取付開口４の縦横寸法よりひと回り大きく設定し、内縁側の縦横寸法は、板ガラス７の縦横寸法よりひと回り小さく設定する。また、図３に示すように、枠体の四隅はそれぞれ四分円状に丸めて、プレス加工を容易化し併わせて離型し易くする。成形後に、主枠部１２の一対の脚壁１２ａに掛止部１４を対向状に打ち出し形成する。掛止部１４は主枠部１２の周方向に沿って、８〜１０個所形成する。掛止部１４は脚壁１２ａをリブ状に打ち出して形成してもよい。
【００１２】
内窓枠６は、外的枠５と同様にアルミニウム板材を素材にしてプレス成形した無端状の角枠体からなり、外窓枠６の側へ向かって開口する断面コ字状の主枠部１５と、主枠部１５の開口縁のそれぞれから外向きに張り出した一対の押圧脚１６・１６とで、断面ハット形に形成する。内窓枠６が外窓枠５と異なるのは、主枠部１５の幅寸法が外窓枠５の主枠部１２の幅寸法に比べて小さく設定してあることと、板ガラス７を挟む側の押圧脚１６と、取付開口４を挟む無側の押圧脚１６とが内外方向へ段違い状に設けてあって、前者押圧脚１６に連続する主枠部１５の脚壁１５ａが短い点にある。板ガラス７の厚みが取付開口４の周縁壁よりぶ厚いためである。一対の脚壁１５ａを接続する主枠部１５の端壁１５ｂには、先の掛止部１４の形成位置に対応してねじ挿通用の穴１７が通設してある。
【００１３】
板ガラス７はその肉壁内に鋼線や鋼線網を埋設した網入りガラス板からなり、取付開口４の縦横寸法よりひと回り小さな縦横寸法に設定してある。
【００１４】
パッキン８・９はそれぞれゴムパッキンからなり、両窓枠５・６の押圧脚１３・１６に周回状に貼り付け固定される。先に説明したように、板ガラス７は取付開口４の周縁壁に比べて厚みが大きい。この厚みの差を吸収調整するために、内窓枠６の押圧脚１６と取付開口４の周縁壁との間に配置するパッキン９の厚みは他よりぶ厚く形成してある。
【００１５】
ねじ機構は、外窓枠５の主枠部１２の内面に設けた掛止部１４に係合される掛止枠１９と、掛止枠１９に溶接したねじ軸２０、およびねじ軸２０にねじ込まれるナット２１などで構成する。掛止枠１９はハット形断面のプレス金具からなり、図５に示すように一対の掛止爪２２を掛止部１４と主枠部１２の端壁１２ｂとの間に差し込み係合して外窓枠５に装着する。この装着状態において、掛止枠１９の枠端壁は、外窓枠５の押圧脚１３と同一平面上にあって、パッキン８・９を押圧脚１３と協同して受け止める（図１参照）。
【００１６】
覗き窓を取付開口４に装着した状態では、両窓枠５・６の外縁側の押圧脚１３・１６が、ハッキン９を介して取付開口４の周縁壁を内外に挟持し、内縁側の押圧脚１３・１６が、パッキン８を介して板ガラス７の周縁壁を内外に挟持する。ねじ軸２０は取付開口４と板ガラス７の間を内外に横切って、外窓枠５と内窓枠６とを連結している。ナット２１は内窓枠６の主枠部１５の穴１７に挿通したねじ軸２０にねじ込まれて、両窓枠５・６を互いに引き寄せる向きに締結する。
【００１７】
無端環状にプレス成形される外窓枠５の断面形状をハット形にするので、従来の窓枠に比べて断面二次モメントを十分に増強し、その構造強度を向上できる。ナット２１の締め過ぎによって過剰な締結力が作用する場合にも、十分な剛性を発揮できる。断面コ字状の主枠部１２は十分な自己保形力を発揮し、枠全体がそり変形するのを確実に防止する。また、ねじ機構１０の締結力を均等に押圧脚１３に伝える。従って、一対の押圧脚１３の挟持面の面精度を向上し、パッキン８・９の押圧力を均一化してシール不良を解消できる。内窓枠６も外窓枠５と同様の強度を発揮でき、各押圧脚１６の面精度を十分に向上できる。
【００１８】
外窓枠５および内窓枠６は、それぞれ図６に示すように、片側の押圧脚１３・１６を省略して、主枠部１２・１５の開口縁の一側に限って押圧脚１３・１６を設け異形断面形状にすることができる。この場合の押圧脚１３・１６は、板ガラス７を挟む側、つまり両窓枠５・６の内側周縁に設けて、板ガラス７に過大な挟持力が作用するのを避けるのが好ましいが、挟持力をパッキン８で分散させる場合には、図６で示すのとは逆に、各押圧脚１３・１６を外側周縁に限って設けることができる。
【００１９】
ねじ機構は、ナット２１やねじ筒を主枠部１２の端壁１２ｂにかしめ固定し、これにボルトをねじ込むようにしてもよい。
【００２０】
図７に掛止枠１９の一部を変更した別実施例を示す。そこでは、掛止枠１９の内面に部分円弧状の板ばね２３を掛止装着して、掛止爪２２を主枠部１２の掛止部１４に掛け止め係合した状態において、板ばね２３が弾性変形して掛止爪２２を掛止部１４に圧接するようにした。これにより、掛止枠１９ががた付くのを防止できるうえ、自重で掛止部１４から抜け出るのを阻止できる。なお、ねじ軸２０を掛止枠１９にかしめ固定する場合には、板ばね２３をねじ軸２０のかしめ部に外嵌して、共締め固定することができる。この場合の板ばね２３は台形状に折り曲げ形成して、その上辺部をねじ軸２０にかしめ固定する。
【００２１】
両窓枠５・６の正面視形状は、基本的には四隅が丸められた四角形状とするが、円形やだ円形などに変更できる。外窓枠５は内窓枠６と同様に、一対の押圧脚１３・１３が内外に段違い状になるように形成してもよい。  
【００２２】
【発明の効果】
この発明では断面コ字形の主枠部１２と、その開口縁の少なくとも一側から張り出した押圧脚１３とで、外窓枠５を異形断面状ないしは断面ハット形の無端枠として形成するので、従来のプレス成形された窓枠に比べて、窓枠の構造強度と挟持面の面精度とを十分に向上できる。これにより、プレス成形品からなる窓枠を用いるにも拘らず、アルミニウム条材製の窓枠に匹敵する覗き窓を、より安価に提供できる。長期使用時にも十分なシール耐久性を発揮できるうえ、いたずら等では破壊できない十分な強度を備えているので、適用個所に制約がなく、アルミニウム条材製の窓枠を有する覗き窓と同様に、あらゆる場所に設置される分電盤や配電盤に広く適用できる。
【図面の簡単な説明】
【図１】図３におけるＡ−Ａ線断面図である。
【図２】覗き窓の適用例を示す斜視図である。
【図３】覗き窓の正面図である。
【図４】覗き窓の構成部品をそれぞれ分離した状態の断面図である。
【図５】図１におけるＢ−Ｂ線断面図である。
【図６】窓枠の変形例を示す断面図である。
【図７】掛止枠の変形例を示す断面図である。
【符号の説明】
４  取付開口
５  外窓枠
６  内窓枠
７  板ガラス
８  パッキン
９  パッキン
１２  主枠部
１３  押圧脚
【図１】
0003934759.tif 000002
【図２】
0003934759.tif 000003
【図３】
0003934759.tif 000004
【図４】
0003934759.tif 000005
【図５】
0003934759.tif 000006
【図６】
0003934759.tif 000007
【図７】
0003934759.tif 000008